(57)【要約】【課題】物品を保冷しながら搬送するための保冷ケースにおいて、物品が暖められにくくする。【解決手段】天面が第１の開口部となった箱型の収納体２０と、底面が第２の開口部となり、第１の開口部を覆うようにして第２の開口部から内部に収納体２０を入り込ませることにより、第１の開口部を覆う箱型の蓋体１０とを有し、収納体２０は、外側面に第１の開口部に沿って連なる突起部１３を有し、蓋体１０は、内側面に第２の開口部に沿って連なる突起部２３を有する。【選択図】図３
2016068988.tif 000002
【特許請求の範囲】
【請求項１】
天面が第１の開口部となった箱型の収納体と、底面が第２の開口部となり、前記第１の開口部を覆うようにして前記第２の開口部から内部に前記収納体を入り込ませることにより、前記第１の開口部を覆う箱型の蓋体とを有する保冷ケースにおいて、
前記収納体は、外側面に前記第１の開口部に沿って連なる第１の突起部を有し、
前記蓋体は、内側面に前記第２の開口部に沿って連なる第２の突起部を有することを特徴とする保冷ケース。
【請求項２】
請求項１に記載の保冷ケースにおいて、
前記第１及び第２の突起部の少なくとも一方は、柔軟性を有する保冷ケース。
【発明の詳細な説明】
【技術分野】
【０００１】
本発明は、箱型の収納体上に箱型の蓋体を重ね合わせることにより、食料品等の物品を保冷する保冷ケースに関する。
【背景技術】
【０００２】
従来、定温での保管が好ましい食料品においては、工場内での運搬時や、店舗への配送時に、断熱性を有する保冷カバーで覆って保冷されながら運搬することが行われている。
【０００３】
図８は、一般的な保冷カバーの使用状態を示す図であり、保冷カバー内の状態を示す。
【０００４】
保冷カバーを用いて食料品等を保冷する場合、図８に示すように、台車３２０上に食料品等の物品３３０が載せられた状態で、台車３２０上に立てられた枠材３２１に、袋あるいは箱型の保冷カバー３１０が掛けられる。保冷カバー３１０は断熱性を有しているため、物品３３０を予め所定の温度に冷却しておくことにより、あるいは、凍結した保冷剤を物品３３０とともに台車３２０上に載せておくことにより、物品３３０が、外気の温度の影響を受けにくく、一定の温度に保冷されることになる。
【０００５】
このように、保冷したい食料品等を台車等に載せた状態で、断熱性を有する保冷カバーで食料品等を覆うことにより、食料品等を一定の温度に保冷する技術が考えられている（例えば、特許文献１参照）。
【先行技術文献】
【特許文献】
【０００６】
【特許文献１】実開平６−２７４２３号公報
【発明の概要】
【発明が解決しようとする課題】
【０００７】
しかしながら、図８に示したようなものにおいては、保冷カバー３１０で物品３３０を覆った状態において保冷カバー３１０の下部に隙間が生じ、その隙間から暖かい空気が保冷カバー３１０の内部に入り込み、物品３３０が暖められてしまう虞れがある。
【０００８】
また、台車３２０に載せられた物品３３０の高さが、枠材３２１の高さよりも低い場合、物品３３０上に空間３４０が生じるが、その空間３４０に存在する空気の温度が外気の影響を受けて上昇した場合、物品３３０が暖められてしまうことになる。
【０００９】
本発明は、上述したような従来の技術が有する問題点に鑑みてなされたものであって、物品を保冷しながら搬送するための保冷ケースにおいて、物品が暖められにくい構造を有する保冷ケースを提供することを目的とする。
【課題を解決するための手段】
【００１０】
上記目的を達成するために本発明は、
天面が第１の開口部となった箱型の収納体と、底面が第２の開口部となり、前記第１の開口部を覆うようにして前記第２の開口部から内部に前記収納体を入り込ませることにより、前記第１の開口部を覆う箱型の蓋体とを有する保冷ケースにおいて、
前記収納体は、外側面に前記第１の開口部に沿って連なる第１の突起部を有し、
前記蓋体は、内側面に前記第２の開口部に沿って連なる第２の突起部を有することを特徴とする。
【００１１】
上記のように構成された本発明においては、収納体に物品が収納された状態で、収納体の第１の開口部を覆うようにして蓋体の第２の開口部から収納体を蓋体の内部に入り込ませることにより、物品が収納体と蓋体とで囲まれた状態となり、保冷されながら搬送されることになる。この際、収納体と蓋体とのそれぞれの側面の少なくとも一部が、蓋体の側面が外側となるように互いに重なることになるが、収納体の外側面に第１の開口部に沿って連なる第１の突起部が設けられているとともに、蓋体の内側面に第２の開口部に沿って連なる第２の突起部が設けられているので、収納体と蓋体の側面の重なった部分において収納体の外側面と蓋体の内側面との間に隙間が生じたとしても、第１の突起部と第２の突起部とが互い違いに配置された状態となり、それにより、外部の暖かい空気が保冷ケースの内部に入り込みにくくなり、収納体に収納された物品が暖められにくくなる。また、収納体に収納された物品の高さが収納体の高さよりも高い場合に物品上に空間が生じるが、その空間に面する側面部分においては、少なくとも一部において収納体の側面と蓋体の側面とが重なった二重構造となっているため、空間に存在する空気の温度が外気の影響を受けにくくなり、それによっても、物品が暖められにくくなる。
【００１２】
また、第１及び第２の突起部の少なくとも一方が、柔軟性を有するものであれば、これら第１及び第２の突起部の高さを高くして外部の暖かい空気が保冷ケースの内部にさらに入り込みにくくした場合に、収納体を蓋体に入り込ませる際、第１の突起部と第２の突起部とが当接しても、これら第１の突起部と第２の突起部がそれぞれ撓り、収納体を蓋体に入り込ませにくくなることがなくなる。
【発明の効果】
【００１３】
本発明によれば、収納体の外側面に第１の開口部に沿って連なる第１の突起部が設けられているとともに、蓋体の内側面に第２の開口部に沿って連なる第２の突起部が設けられているため、物品が保冷ケースに収納された状態で、収納体と蓋体の側面の重なった部分において収納体の外側面と蓋体の内側面との間に隙間が生じたとしても、第１の突起部と第２の突起部とが互い違いに配置された状態となり、それにより、外部の暖かい空気が保冷ケースの内部に入り込みにくくなり、収納体に収納された物品を暖められにくくすることができる。また、収納体に収納された物品の高さが収納体の高さよりも高い場合に物品上に空間が生じるものの、その空間に面する側面部分においては、少なくとも一部において収納体の側面と蓋体の側面とが重なった二重構造となっているため、空間に存在する空気の温度が外気の影響を受けにくくなり、それによっても、物品を暖められにくくすることができる。
【００１４】
また、第１及び第２の突起部の少なくとも一方が、柔軟性を有するものにおいては、これら第１及び第２の突起部の高さを高くして外部の暖かい空気が保冷ケースの内部にさらに入り込みにくくした場合に、収納体を蓋体に入り込ませる際、第１の突起部と第２の突起部とが当接しても、これら第１の突起部と第２の突起部がそれぞれ撓り、収納体を蓋体に入り込ませにくくなることがなくなる。
【図面の簡単な説明】
【００１５】
【図１】本発明の保冷ケースに用いられる蓋体の実施の一形態を示す図であり、（ａ）は外観斜視図、（ｂ）は（ａ）に示したＡ−Ａ’断面図、（ｃ）は（ａ）に示した矢印Ｂ方向から見た図である。
【図２】本発明の保冷ケースに用いられる収納体の実施の一形態を示す図であり、（ａ）は外観斜視図、（ｂ）は（ａ）に示したＡ−Ａ’断面図、（ｃ）は（ａ）に示した矢印Ｂ方向から見た図である。
【図３】図１に示した蓋体と図２に示した収納体とによって構成される保冷ケースの使用状態を示す図であり、（ａ）は外観斜視図、（ｂ）は（ａ）に示したＡ−Ａ’断面図である。
【図４】図３に示した保冷ケースへの物品の収納方法を説明するための図である。
【図５】図１に示した蓋体と図２に示した収納体とによって構成される保冷ケースによる効果を説明するための図である。
【図６】図１に示した蓋体と図２に示した収納体とによって構成される保冷ケースに収納された物品の取り出し方法を説明するための外観斜視図である。
【図７】蓋体や収納体に設けられる突起部の他の形態を示す図である。
【図８】一般的な保冷カバーの使用状態を示す図である。
【発明を実施するための形態】
【００１６】
以下に、本発明の実施の形態について図面を参照して説明する。
【００１７】
図１は、本発明の保冷ケースに用いられる蓋体の実施の一形態を示す図であり、（ａ）は外観斜視図、（ｂ）は（ａ）に示したＡ−Ａ’断面図、（ｃ）は（ａ）に示した矢印Ｂ方向から見た図である。
【００１８】
本形態における蓋体１０は図１に示すように、天面１１と、天面１１に連接した４つの側面１２ａ〜１２ｄとからなり、底面が第２の開口部１４となった箱型のものである。側面１２ａ〜１２ｄには、その内側すなわち内側面に、内側に突出した第２の突起部１３が設けられている。
【００１９】
突起部１３は、布やゴム等の柔軟性を有する材料からなり、かつ、自立性を有する程度の厚さを有しており、開口部１４に沿って連なった形状となっている。そして、連なる方向に直交する方向における断面が、側面１２ａ〜１２ｄ側に開いたＵ字状となっており、Ｕ字状の両端部が縫合等によって側面１２ａ〜１２ｄに固着されている。これにより、突起部１３は、内部に空気層を有する構造となっている。
【００２０】
また、側面１２ａは、側面１２ｂ，１２ｄとは直接には連接しておらず、天面１１との連接辺を支点として見開き可能に構成されており、その内側の面には側面１２ｂ，１２ｄと隣り合う辺に沿って面ファスナー１５ａが取り付けられている。
【００２１】
また、側面１２ｂ，１２ｄはそれぞれ、側面１２ａと隣り合う辺に連接した折り返し部１６ｂ，１６ｄを有しており、この折り返し部１６ｂ，１６ｄの外側の面にはそれぞれ面ファスナー１５ｂが取り付けられている。そして、この面ファスナー１５ｂが、側面１２ａに取り付けられた面ファスナー１５ａと嵌合することにより、面ファスナー１５ａ，１５ｂを介して側面１２ａと側面１２ｂ，１２ｄとが間接的に連接した状態となっている。
【００２２】
図２は、本発明の保冷ケースに用いられる収納体の実施の一形態を示す図であり、（ａ）は外観斜視図、（ｂ）は（ａ）に示したＡ−Ａ’断面図、（ｃ）は（ａ）に示した矢印Ｂ方向から見た図である。
【００２３】
本形態における収納体２０は図１に示すように、底面２１と、底面２１に連接した４つの側面２２ａ〜２２ｄとからなり、天面が第１の開口部２４となった箱型のものである。側面２２ａ〜２２ｄには、その外側すなわち外側面に、外側に突出した第１の突起部２３が設けられている。収納体２０の開口部２４は、蓋体１０の開口部１４よりも若干小さな形状を有しており、それにより、後述するように、収納体２０の開口部２４を覆うように蓋体１０の開口部１４から収納体２０を蓋体１０の内部に入り込ませることができる。
【００２４】
突起部２３は、布等の柔軟性を有する材料からなり、かつ、自立性を有する程度の厚さを有しており、開口部２４に沿って連なった形状となっている。そして、連なる方向に直交する方向における断面が、側面２２ａ〜２２ｄ側に開いたＵ字状となっており、Ｕ字状の両端部が縫合等によって側面２２ａ〜２２ｄに固着されている。これにより、突起部２３は、内部に空気層を有する構造となっている。
【００２５】
また、側面２２ａは、側面２２ｂ，２２ｄとは直接には連接しておらず、底面２１との連接辺を支点として見開き可能に構成されており、その内側の面には側面２２ｂ，２２ｄと隣り合う辺に沿って面ファスナー２５ａが取り付けられている。
【００２６】
また、側面２２ｂ，２２ｄはそれぞれ、側面２２ａと隣り合う辺に連接した折り返し部２６ｂ，２６ｄを有しており、この折り返し部２６ｂ，２６ｄの外側の面にはそれぞれ面ファスナー２５ｂが取り付けられている。そして、この面ファスナー２５ｂが、側面２２ａに取り付けられた面ファスナー２５ａと嵌合することにより、面ファスナー２５ａ，２５ｂを介して側面２２ａと側面２２ｂ，２２ｄとが間接的に連接した状態となっている。
【００２７】
以下に、上記のように構成された蓋体１０と収納体２０の使用方法について説明する。
【００２８】
図３は、図１に示した蓋体１０と図２に示した収納体２０とによって構成される保冷ケースの使用状態を示す図であり、（ａ）は外観斜視図、（ｂ）は（ａ）に示したＡ−Ａ’断面図である。図４は、図３に示した保冷ケースへの物品の収納方法を説明するための図であり、保冷ケースの内部の状態を示す。
【００２９】
本発明の保冷ケースは、図３に示すように、図１に示した蓋体１０と図２に示した収納体２０とが重ね合わされて構成され、内部に物品３０が収納されて使用される。なお、収納体２０の底面２１にキャスター（不図示）を装着することにより、保冷ケースを持ち上げることなく運搬可能な構成としてもよい。
【００３０】
図１に示した蓋体１０と図２に示した収納体２０とによって構成される保冷ケースに食料品等の物品を収納する場合は、まず、図４（ａ）に示すように、予め所望の温度に冷却された物品３０を収納体２０に収納する。
【００３１】
次に、収納体２０の開口部２４を覆うように蓋体１０の開口部１４から収納体２０を蓋体１０の内部に入り込ませるようにしていく。その際、上述したように、収納体２０の開口部２４が、蓋体１０の開口部１４よりも若干小さな形状を有していることにより、蓋体１０の側面１２ａ〜１２ｄの内側の面と、収納体２０の側面２２ａ〜２２ｄの外側の面との間に数ミリの隙間が生じる。そして、収納体２０を蓋体１０の内部に入り込ませていくと、蓋体１０の側面１２ａ〜１２ｄに設けられた突起部１３と、収納体２０の側面２２ａ〜２２ｄに設けられた突起部２３とが当接することになるが、上述したように、突起部１２ａ〜１２ｄ，２２ａ〜２２ｄがそれぞれ、布等の柔軟性を有する材料からなるものであるため、図４（ｂ）に示すように、当接した突起部１３，２３がそれぞれ撓り、収納体２０を蓋体１０に入り込ませにくくなることがなくなる。
【００３２】
そして、収納体２０に収納された物品３０の高さが収納体２０の高さよりも高い場合は、図４（ｃ）に示すように、物品３０の上面が蓋体１０の天面１１の内側の面に当接し、物品３０が収納体２０及び蓋体１０によって囲まれた状態で保冷ケースに収納されることになる。
【００３３】
以下に、上述した保冷ケースによる効果について説明する。
【００３４】
図５は、図１に示した蓋体１０と図２に示した収納体２０とによって構成される保冷ケースによる効果を説明するための図であり、保冷ケースの内部の状態を示す。
【００３５】
図１に示した蓋体１０と図２に示した収納体２０とによって構成される保冷ケースに収納された物品３０の高さが収納体２０の高さよりも高い場合は、図５（ａ）に示すように、物品３０の上面が蓋体１０の天面１１の内側の面に当接し、物品３０が収納体２０及び蓋体１０によって囲まれた状態で保冷ケースに収納されることになる。その際、収納体２０の側面２２ａ〜２２ｄと蓋体１０の側面１２ａ〜１２ｄとがその一部にて、蓋体１０の側面１２ａ〜１２ｄが外側となるように互いに重なることになるが、収納体２０の側面２２ａ〜２２ｄの外側の面には、収納体２０の開口部２４に沿って連なる突起部２３が設けられているとともに、蓋体１０の側面１２ａ〜１２ｄの内側の面には、蓋体１０の開口部１４に沿って連なる突起部１３が設けられているので、収納体２０の側面２２ａ〜２２ｄと蓋体１０の側面１２ａ〜１２ｄとの重なった部分において収納体２０の側面２２ａ〜２２ｄの外側の面と蓋体１０の側面１２ａ〜１２ｄの内側の面との間に隙間が生じたとしても、図５（ａ）に示すように、外部の暖かい空気が保冷ケースの内部に入り込むことがこれら突起部１３，２３によって防止されることになる。
【００３６】
この際、突起部１３，２３の高さがそれぞれ、蓋体１０の側面１２ａ〜１２ｄの内側の面と、収納体２０の側面２２ａ〜２２ｄの外側の面との間に生じた隙間よりも低いものであっても、蓋体１０の側面１２ａ〜１２ｄの内側の面と、収納体２０の側面２２ａ〜２２ｄの外側の面との間に生じた隙間において、突起部１３と突起部２３とが互い違いに配置された状態となり、それにより、外部の暖かい空気が保冷ケースの内部に入り込みにくくなり、収納体２０に収納された物品を暖められにくくすることができる。その場合、突起部１３，２３の高さが、上述したように収納体２０を蓋体１０の内部に入り込ませていく際に互いに当接しないものであれば、突起部１３，２３を、柔軟性を有する材料から構成する必要はない。また、突起部１３，２３を、柔軟性を有さない材料から構成した場合において、突起部１３，２３の高さが、収納体２０を蓋体１０の内部に入り込ませていく際に多少当接するようなものであっても、蓋体１０や収納体２０が撓むことにより、収納体２０を蓋体１０の内部に入り込ませることができる。
【００３７】
また、突起部１３，２３の高さがそれぞれ、蓋体１０の側面１２ａ〜１２ｄの内側の面と、収納体２０の側面２２ａ〜２２ｄの外側の面との間に生じた隙間を埋めるのに十分なものである場合は、突起部１３が収納体２０の側面２２ａ〜２２ｄの外側の面に当接することにより、外部の暖かい空気が保冷ケースの内部に入り込むことが防止されるとともに、突起部２３が蓋体１０の側面１２ａ〜１２ｄの内側の面に当接することにより、保冷ケース内の冷気が外部に流出することが防止され、収納体２０に収納された物品をさらに暖められにくくすることができる。その場合、突起部１３，２３のいずれか一方の高さが、蓋体１０の側面１２ａ〜１２ｄの内側の面と、収納体２０の側面２２ａ〜２２ｄの外側の面との間に生じた隙間を埋めるのに十分なものであれば、保冷ケースの内部と外部との間における空気の流れが遮断されて上記効果を得ることができるが、突起部１３，２３のそれぞれの高さが、蓋体１０の側面１２ａ〜１２ｄの内側の面と、収納体２０の側面２２ａ〜２２ｄの外側の面との間に生じた隙間を埋めるのに十分なものであれば、突起部１３と突起部２３とによって挟まれた領域に、蓋体１０の側面１２ａ〜１２ｄの内側の面と、収納体２０の側面２２ａ〜２２ｄの外側の面と、突起部１３，２３とによって囲まれた空間が形成され、保冷ケース内外の空気の直接の流入／流出がなくなり、上記効果を一層高めることができる。
【００３８】
また、保冷ケースに収納された物品３０の高さが収納体２０の高さよりも高い場合、図５（ｂ）に示すように、物品３０上に空間４０が生じるが、その空間４０に面する側面部分においては、収納体２０の側面２２ａ〜２２ｄと蓋体１０の側面１２ａ〜１２ｄとが重なった二重構造となっているため、空間４０に存在する空気の温度が外気の影響を受けにくくなり、それによっても、物品３０が暖められにくくなる。なお、本形態においては、収納体２０の高さと蓋体１０の高さとが同一であることにより、物品３０上に生じた空間４０に面する側面部分の全面において、収納体２０の側面２２ａ〜２２ｄと蓋体１０の側面１２ａ〜１２ｄとが重なった二重構造となっているが、蓋体１０の高さが収納体２０の高さよりも低い場合、物品３０上に生じた空間４０に面する側面部分の一部においてしか、収納体２０の側面２２ａ〜２２ｄと蓋体１０の側面１２ａ〜１２ｄとが重なった二重構造とはならないが、二重構造が一部であってもその効果は若干低下するものの、物品３０が暖められにくくなる効果を得ることができる。
【００３９】
また、上述したように、突起部１３，２３がそれぞれＵ字状であることにより内部に空気層を有しているため、外部と物品３０との間にはこの空気層も介在し、この空気層によっても、保冷ケース内の保冷効果を得ることができる。
【００４０】
以下に、保冷ケースに収納された物品３０の取り出し方法について説明する。
【００４１】
図６は、図１に示した蓋体１０と図２に示した収納体２０とによって構成される保冷ケースに収納された物品３０の取り出し方法を説明するための外観斜視図である。
【００４２】
上記のようにして保冷ケースに収納された物品３０を取り出す場合は、図６に示すように、蓋体１０においては、嵌合している面ファスナー１５ａと面ファスナー１５ｂとを剥がし、側面１２ａを天面１１との連接辺を支点として見開き、また、収納体２０においては、嵌合している面ファスナー２５ａと面ファスナー２５ｂとを剥がし、側面２２ａを底面２１との連接辺を支点として見開く。
【００４３】
すると、保冷ケースの１つの側面が開口した状態となり、その開口した部分から物品３０を取り出すことができる。
【００４４】
なお、蓋体１０や収納体２０に設けられる突起部１３，２３は、上述したように、開口部１４，２４に沿って連なる方向に直交する方向における断面が、側面１２ａ〜１２ｄ，２２ａ〜２２ｄ側に開いたＵ字状となっており、Ｕ字状の両端部が縫合等によって側面１２ａ〜１２ｄ，２２ａ〜２２ｄに固着されたものに限らない。
【００４５】
図７は、蓋体や収納体に設けられる突起部の他の形態を示す図であり、突起部近傍の断面図を示す。
【００４６】
蓋体や収納体に設けられる突起部としては、図７（ａ）に示すように、突起部１１３，１２３が連なる方向に直交する方向における断面がＯ字状となっており、Ｏ字状の側面に接する一点からから伸びた部分が縫合等によって側面に固着されたものであってもよい。このような構成においても、Ｏ字状の内部に空気層を有しているため、外部と物品３０との間にはこの空気層も介在し、この空気層によっても、保冷ケース内の保冷効果を得ることができる。
【００４７】
また、図７（ｂ）に示すように、Ｔ字状のものであってもよい。Ｔ字状の場合、Ｔ字の横バー部分が縫合等によって側面に固着され、Ｔ字の縦バー部分が外気の空気を遮断する役割を果たすことになる。
【００４８】
なお、上述したようなＵ字状やＯ字状のような内部に空気層を有する突起部と、Ｔ字状のような内部に空気層を有さない突起部を組み合わせることもできる。少なくとも一方を、空気層を有するものとすれば、その空気層によっても保冷ケース内の保冷効果を得ることができる。
【００４９】
また、突起部は、布やゴム等の柔軟性を有するものに限らないが、蓋体に設けられた突起部と収納体に設けられた突起部の少なくとも一方を、柔軟性を有するものとすることにより、収納体を蓋体に入り込ませる際、これら２つの突起部とが当接しても、２つの突起部のうち柔軟性を有するものがそれぞれ撓り、収納体を蓋体に入り込ませにくくなることがなくなる。
【符号の説明】
【００５０】
１０，１１０，２１０    蓋体
１１    天面
１２ａ〜１２ｄ，２２ａ〜２２ｄ    側面
１３，２３，１１３，１２３，２１３，２２３    突起部
１４    開口部
１５ａ，１５ｂ，２５ａ，２５ｂ    面ファスナー
１６ｂ，１６ｄ，２６ｂ，２６ｄ    折り返し部
２０，１２０，２２０    収納体
２１    底面
３０    物品
４０    空間
【図１】
2016068988.tif 000003
【図２】
2016068988.tif 000004
【図３】
2016068988.tif 000005
【図４】
2016068988.tif 000006
【図５】
2016068988.tif 000007
【図６】
2016068988.tif 000008
【図７】
2016068988.tif 000009
【図８】
2016068988.tif 000010